(57)【特許請求の範囲】
【請求項１】
テレビ放送に係る放送波を受信する移動通信端末であって、
当該移動通信端末の向いている方位を取得する方位取得部と、
前記方位における前記放送波の受信レベルを検出する受信レベル検出部と、
前記受信レベルを前記方位と関連付けて履歴情報として保持する履歴保持部と、
少なくとも前記方位及び前記受信レベルの軸を有し、現在検出されている前記受信レベル及び過去に検出された前記受信レベルを表すグラフを、現在選出されている前記受信レベルが当該移動通信端末の画面の中央部分にプロットされるように表示するグラフ表示部と、
当該移動通信端末の向いている方位の変化又は前記受信レベルの変化に応じて前記グラフを更新するグラフ更新部と、
を有する、移動通信端末。
【請求項２】
当該移動通信端末の向いている方位の変化が所定の角度以下である場合に、現在検出されている前記受信レベルのみを更新して前記グラフを表示する、
請求項１に記載の移動通信端末。
【請求項３】
前記画面に表示される前記グラフの前記横軸は所定の角度の範囲に限定される、
請求項１又は２に記載の移動通信端末。
【請求項４】
現在検出されている前記受信レベルが所定の閾値未満である場合、当該移動通信端末の向いている方位を調整するようユーザに指示する指示部と、
を有する、請求項１乃至３何れか一項に記載の移動通信端末。
【請求項５】
前記グラフと並列に、前記受信レベルが最良となる当該移動通信端末の持ち方及び前記アンテナの位置を表示する持ち方表示部と、
を有する、請求項１乃至４何れか一項に記載の移動通信端末。
【請求項６】
テレビ放送に係る放送波を受信する移動通信端末で実行される移動通信方法であって、
当該移動通信端末の向いている方位を取得する方位取得段階と、
前記方位における前記放送波の受信レベルを検出する受信レベル検出段階と、
前記受信レベルを前記方位と関連付けて履歴情報として保持する履歴保持段階と、
少なくとも前記方位及び前記受信レベルの軸を有し、現在検出されている前記受信レベル及び過去に検出された前記受信レベルを表すグラフを、現在選出されている前記受信レベルが当該移動通信端末の画面の中央部分にプロットされるように表示するグラフ表示段階と、
当該移動通信端末の向いている方位の変化又は前記受信レベルの変化に応じて前記グラフを更新するグラフ更新段階と、
を有する、移動通信方法。
【請求項７】
テレビ放送に係る放送波を受信する移動通信端末で実行される移動通信プログラムであって、
当該移動通信端末の向いている方位を取得する方位取得段階と、
前記方位における前記放送波の受信レベルを検出する受信レベル検出段階と、
前記受信レベルを前記方位と関連付けて履歴情報として保持する履歴保持段階と、
少なくとも前記方位及び前記受信レベルの軸を有し、現在検出されている前記受信レベル及び過去に検出された前記受信レベルを表すグラフを、現在選出されている前記受信レベルが当該移動通信端末の画面の中央部分にプロットされるように表示するグラフ表示段階と、
当該移動通信端末の向いている方位の変化又は前記受信レベルの変化に応じて前記グラフを更新するグラフ更新段階と、
をコンピュータに実行させる、移動通信プログラム。
【発明の詳細な説明】
【技術分野】
【０００１】
本発明は、移動通信端末、移動通信方法及び移動通信プログラムに関する。
【背景技術】
【０００２】
テレビ放送では水平偏波が用いられているケースが多い。移動通信端末でテレビ放送を受信する場合、一般的にロッドアンテナが用いられている。そのため、放送波の到来方向に対する水平偏波のアンテナ利得パターン（指向性）は８の字形となり、放送波を受信しやすい方向と受信しにくい方向が発生する。また、放送波を受信しやすい方向は、アンテナの構造や位置等により、必ずしも移動通信端末の正面方向と一致しているとは限らない。
【発明の概要】
【発明が解決しようとする課題】
【０００３】
安定した受信を行うためには、ユーザは、移動通信端末の放送波を受信しやすい方向を、放送波の到来方向と一致させる必要がある。しかし、ユーザは、アンテナ利得パターンや放送波の到来方向が分からないため、最適な受信方向を判断することが困難である。
【０００４】
特許文献１には、アンテナの方向を徐々に変化させながらテレビジョン放送波を最も良好に受信し得る状態を探索するような場合に、受信状況グラフにおける時間の経過による受信状況値の変化をユーザに認識させる技術が開示されている。当該技術においては、ユーザは、受信状況値の変化を監視しながら、端末の向きを調整し、最適に受信できる向きを模索する必要がある。しかし、受信状況値が時系列に従って変化するため、ユーザは、端末をどの向きに向けたときに放送波を受信しやすくなっていたのかを特定できない。
【０００５】
特許文献２には、画面上に受信レベルに関するパラメータを表示して、ユーザがアンテナの向きの調整を行うことを支援する装置が開示されている。しかしながら、特許文献１と同様に、受信状況値が時系列で変化するため、ユーザは、端末をどの向きに向けたときに放送波を受信しやすくなっていたのかを特定できない。
【０００６】
本発明は、上記問題に鑑みてなされたものであり、ユーザが、テレビ放送の放送波を最適に受信できる方向を特定しやすくする移動通信端末を提供することを目的とする。
【課題を解決するための手段】
【０００７】
上述した課題を解決し目的を達成するため、本発明にかかる移動通信端末は、テレビ放送に係る放送波を受信する移動通信端末であって、当該移動通信端末の向いている方位を取得する方位取得部と、前記方位における前記放送波の受信レベルを検出する受信レベル検出部と、前記受信レベルを前記方位と関連付けて履歴情報として保持する履歴保持部と、少なくとも前記方位及び前記受信レベルの軸を有し、現在検出されている前記受信レベル及び過去に検出された前記受信レベルを表すグラフを、現在選出されている前記受信レベルが当該移動通信端末の画面の中央部分にプロットされるように表示するグラフ表示部と、当該移動通信端末の向いている方位の変化又は前記受信レベルの変化に応じて前記グラフを更新するグラフ更新部と、を有する、移動通信端末を提供する。
【発明の効果】
【０００８】
本発明によれば、ユーザが、テレビ放送の放送波を最適に受信できる方向を特定しやすくする移動通信端末を提供できる。
【図面の簡単な説明】
【０００９】
【図１】本発明の一実施形態における移動通信端末のシステムの概要を表す図。
【図２】本発明の一実施形態における移動通信端末のハードウェア構成の例を表す図。
【図３】本発明の一実施形態における移動通信端末の機能ブロックの例を表す図。
【図４】本発明の一実施形態における移動通信端末の画面表示の例を表す図。
【図５Ａ】本発明の一実施形態における移動通信端末のグラフ出力の例を表す図。
【図５Ｂ】本発明の一実施形態における移動通信端末のグラフ出力の例を表す図。
【図５Ｃ】本発明の一実施形態における移動通信端末のグラフ出力の例を表す図。
【図５Ｄ】本発明の一実施形態における移動通信端末のグラフ出力の例を表す図。
【図６】本発明の一実施形態における移動通信端末の処理のフローを表すフローチャート。
【発明を実施するための形態】
【００１０】
以下、本発明の実施形態を図面に基づいて説明する。  
１．概要
２．ハードウェア構成
３．機能
４．グラフ出力の例
５．処理フロー
【００１１】
（１．概要）
図１は、本発明の一実施形態における移動通信端末１００のシステム１の概要を表す。図１におけるシステムは、移動通信端末１００とテレビ放送等に係る放送波を送出する放送局１０１を有する。
【００１２】
移動通信端末１００は、移動体通信網に接続される移動通信端末であり、移動体通信に係る通信波を送受信することができる。また、放送局１０１から送出される放送波を受信し、動画コンテンツ等を再生することができる。テレビ放送等には、携帯電話・移動体端末向けの1セグメント部分受信サービス、いわゆるワンセグ放送や、映像とともに音声やデータ通信が用いられるマルチメディア放送が含まれる。さらに、移動通信端末１００は、地磁気センサ（電子コンパス）を用いて当該移動通信端末１００の向いている方位を取得できる。
【００１３】
テレビ放送等を受信可能な移動通信端末１００は、放送波を受信するためのロッドアンテナを備えることが一般的である。当該アンテナの利得パターンは８の字形となるため、放送波を受信しやすい向きと、そうでない向きとが発生する。またロッドアンテナ以外でも人体等の影響により放送波を受信しやすい向きと、そうでない向きとが発生することが知られている。よって、移動通信端末１００のユーザは、放送を受信し再生できるようなアンテナの利得を得るため、移動通信端末１００の向きを調整する必要がある。このとき、アンテナにおいて受信される放送波の受信レベル（受信品質）の情報を利用することができる。受信レベルを表す指標として、例えば信号のエラーレートや、ＳＮ比（Ｓｉｇｎａｌ  ｔｏ  Ｎｏｉｓｅ  Ｒａｔｉｏ）、ＣＮ比（Ｃａｒｒｉｅｒ  ｔｏ  Ｎｏｉｓｅ  Ｒａｔｉｏ）のような、受信品質を表すあらゆる指標を用いることができる。ここでは、受信レベルが、放送波に含まれる信号のエラーレートに応じて、圏外、０−３の５段階に分けられる例について説明する。ユーザは、画面上に表示された放送波の受信レベルを確認しながら、移動通信端末１００の向きを変え、受信レベルが最も高くなる方向を探索する。ここで、当該移動通信端末１００は、そのような探索を開始した後に得られた向きと受信レベルとを関連付け、履歴として保管しておく。そして、現在の向きと受信レベルを表示する場合に、その履歴をも画面上表示し、向きに対する受信レベルの推移がわかるようにグラフで表示する。これにより、放送波の最適受信方向を探索しているユーザは、移動通信端末１００を現在の向きに向けたことにより、受信レベルがどの程度改善したのか、あるいは悪化したのかを視覚的に把握することができる。
【００１４】
また、放送波を適切に受信するためには、向きだけでなく、ユーザによる移動通信端末１００の持ち方や、アンテナの位置等も適切である必要がある。当該移動通信端末１００は、適切な持ち方やアンテナ位置をユーザにガイドする。
【００１５】
放送局１０１は、テレビ放送等に係る放送波を送出する。図１に示すように、放送局１０１は、エリアごとに存在する。放送局１０１の位置と、放送局１０１が管轄するエリアは既知である。
【００１６】
本発明の一実施形態における移動通信端末１００により、放送波の最適受信方向を探索しているユーザは、移動通信端末１００の向きを変えたことによって受信レベルがどの程度改善したのか、あるいは悪化したのかを、グラフから視覚的に把握することができる。その結果、ユーザは、テレビ放送の放送波を最適に受信できる方向を特定しやすくなる。また、ユーザが、受信レベルが最適となる移動通信端末１００の持ち方をし、適切な位置にアンテナを設定することを支援し、放送波を最適に受信できるよう支援する。
【００１７】
（２．ハードウェア構成）
図２を用いて、本発明の一実施形態における移動通信端末１００のハードウェア構成の例について説明する。
【００１８】
本発明の一実施形態における移動通信端末１００は、ＣＰＵ２００、ＲＯＭ２０２、ＲＡＭ２０４、フラッシュメモリ２０６、ネットワークコントーラ２０８、通信装置２１０、グラフィックスコントローラ２１２、表示装置２１４、入力コントローラ２１６、入力装置２１８、音声出力コントローラ２２０、音声出力装置２２２、ＧＰＳコントローラ２２４、ＧＰＳセンサ２２６、地磁気センサコントローラ２２８、地磁気センサ２３０、ジャイロセンサコントローラ２３２、ジャイロセンサ２３４、チューナ２３６、放送波受信アンテナ２３８及びバス２４０を有する。
【００１９】
ＣＰＵ２００は、本発明の一実施形態における移動通信端末１００で実行される移動通信プログラムの動作制御を行う。ＲＯＭ２０２は、ＣＰＵ２００が実行する移動通信プログラムの動作に必要なＯＳやデータ等を記憶する。ＲＡＭ２０４は、ＣＰＵ２００のワークエリア等を構成する。フラッシュメモリ２０６は、放送局１０１の位置、当該移動通信端末１００の放送波の受信特性情報、ユーザデータ等を記憶する。放送波の受信特性情報には、放送波を受信しやすい方向や、当該移動通信端末１００の持ち方の情報、アンテナの適切な位置についての情報が含まれる。ネットワークコントローラ２０８は、移動体通信用のアンテナ等の通信装置２１０を介して通信を行うための通信制御を行う。グラフィックスコントローラ２１２は、液晶ディスプレイ等の表示装置２１４を介して、当該移動通信端末１００のユーザに画面を表示するための制御を行う。入力コントローラ２１６は、ボタンやタッチスクリーン等の入力装置２１８を介してユーザから入力される信号を制御する。音声出力コントローラ２２０は、音声を出力するためにスピーカ等の音声出力装置２２２を制御する。ＧＰＳコントローラ２２４は、当該移動通信端末１００の位置情報を取得するためにＧＰＳセンサ２２６を制御する。地磁気センサコントローラ２２８は、当該移動通信端末１００の方位を取得するために地磁気センサ２３０を制御する。ジャイロセンサコントローラ２３２は、角速度を測定して当該移動通信端末１００の角度の変化を取得するためにジャイロセンサ２３４を制御する。チューナ２３６は、放送波受信アンテナ２３８を通じて放送波を受信する。バス２４０は、移動通信端末１００を構成する上記装置を相互に接続し、データのやり取りを行う。
【００２０】
上記構成により、本発明の一実施形態における移動通信端末１００は、現在と過去の向きと受信レベルを画面上にグラフとして表示し、ユーザによる適切な向きの探索を支援することができる。また、受信レベルが最適となる移動通信端末１００の持ち方とアンテナ位置を画面上に表示し、ユーザによる適切な放送波の受信が可能となる。
【００２１】
なお、ＧＰＳコントローラ２２４及びＧＰＳセンサ２２６は、任意の構成要素である。
【００２２】
また、ジャイロセンサコントローラ２３２およびジャイロセンサ２３４は、端末の手持ち状態のガイドを３次元的に説明する場合において有効であるが、２次元的に説明する場合においてはジャイロセンサコントローラ２３２及びジャイロセンサ２３４は備えなくてもよい。この場合、地磁気センサコントローラ２２８及び地磁気センサ２３０によって方位の変化を検出する。
【００２３】
（３．機能）
図３を用いて、移動通信端末１００の機能ブロックの例について説明する。
【００２４】
本発明の一実施形態における移動通信端末１００は、通信部３００、現在位置取得部３０２、放送波受信部３０４、受信レベル検出部３０６、受信レベル判断部３０８、方位取得部３１０、角度取得部３１２、記憶部３１４、履歴保持部３１６、端末特性情報保持部３１８、グラフ出力部３２０、グラフ更新部３２２、表示部３２４、持ち方表示部３２６、グラフ表示部３２８、指示部３３０及び文字列出力部３３２を有する。
【００２５】
通信部３００は、移動通信システム又は無線ＬＡＮ等の移動体通信のために用いられる通信波を送受信する。また、通信部３００は、ＧＰＳ衛星からの信号を受信する。
【００２６】
現在位置取得部３０２は、通信部３００で受信された通信波又はＧＰＳ衛星からの信号を元に、当該移動通信端末の現在位置を取得する。通信波を用いた現在位置の取得のために、例えば、無線ＬＡＮを利用した位置検出技術や、移動通信システムにおける通信波を送出する基地局ＩＤを用いる位置検出技術等、既知の技術を用いることができる。また、ＧＰＳ衛星からの信号を元に現在位置を取得する、既知の技術も用いることができる。取得された位置情報は、例えば二次元又は三次元の座標によって表される。
【００２７】
放送波受信部３０４は、テレビ放送等に係る放送波を受信する。
【００２８】
受信レベル検出部３０６は、放送波受信部３０４で受信された放送波の受信レベルを取得する。受信レベルは、放送波の受信品質を表す指標であり、例えば、放送波を通じて受信された情報のエラーレートに基づいて、例えば、圏外、０−３の合計５段階に区分される。この場合、３が最もエラーレートが低い。受信レベルは必ずしもこの例に制限されず、放送波の受信品質を表すあらゆる指標を用いることができる。
【００２９】
受信レベル判断部３０８は、受信レベル取得部３０６で取得された受信レベルが、所定の閾値以上かどうかを判断する。所定の閾値は、例えば、当該移動通信端末１００において、放送波に含まれるコンテンツを復元して再生するために最低限必要な受信レベルを表す。あるいは、所定の閾値は、ユーザの希望する品質でコンテンツを再生できるような受信レベルに設定されてもよい。
【００３０】
方位取得部３１０は、地磁気センサ２３０から取得されるｘ、ｙ軸又はｘ、ｙ、ｚ軸方向の地磁気ベクトルに基づいて、移動通信端末１００の向いている方位を取得する。地磁気ベクトルから方位を計算する方法は、地磁気センサ２３０によって異なり得るため、ここでの説明は省略する。
【００３１】
角度取得部３１２は、ジャイロセンサ２３４から取得される角速度に基づいて、当該移動通信端末１００の角度の変化を取得する。
【００３２】
記憶部３１４は、履歴保持部３１６及び端末特性情報保持部３１８とを有し、当該移動通信端末１００で使用されるデータを記憶するために用いられる。
【００３３】
履歴保持部３１６は、ある位置における、ユーザによる移動通信端末１００の適切な向きの探索が一旦開始されると、それ以後に方位取得部３１０で取得された方位と受信レベル検出部３０６で検出された受信レベルとを関連付けて保持する。現在位置は、現在位置取得部３０２により取得される。
【００３４】
端末特性情報保持部３１８は、放送波の受信レベルが最も高くなる移動通信端末１００の持ち方の情報及びアンテナの位置を保持する。持ち方の情報は、例えば、図４に示される移動通信端末１００の画面上の「持ち方ガイド」の表示領域に示されるように、移動通信端末１００に対するユーザの握り方を表す情報である。アンテナの位置は、例えば、放送波を受信するために最適な、可動のロッドアンテナの位置を表す情報である。移動通信端末１００の適切な持ち方及びアンテナ位置は、移動通信端末１００ごとに異なる。端末特性情報保持部３１２に保持される情報は、予め格納されていてもよいし、必要に応じて通信部３００を通じて受信されてもよい。
【００３５】
グラフ出力部３２０は、履歴保持部３１６に保持された方位と受信レベルとをグラフとして出力する。当該グラフは、横軸を方位とし、縦軸を受信レベルとして、現在及び過去の受信レベルの方位に対する受信レベルの変化を表す。また、移動通信端末１００の画面の中央部分に、現在検出されている受信レベルをプロットするようにグラフが出力される。ここで、中央部分は厳密に画面の中央である必要はなく、ずれがあってもよい。図５Ａにグラフの例が示されている。図５Ａは、移動通信端末１００の画面を表しており、移動通信端末１００の現在の向きにおける受信レベルと、直前の向きにおける受信レベルとを表す、二つの点がプロットされたグラフが出力されている。二つの点のうち、画面中央の点が現在の受信レベルであり、左側の点が過去の受信レベルを表している。すなわち、図５Ａは、ユーザが移動通信端末１００を手持ちした状態の、ユーザの現在の向きを正面方向とした時、ユーザの左手方向から向きを変化させたことによって、受信レベルが低下したことを表している。画面に表示されるグラフの横軸は、例えば正面方向から±４５度の範囲のように、所定の角度の範囲に限定される。所定の角度は、ユーザによって受信レベルの調整がしやすくなるよう、任意に設定されてもよい。
【００３６】
グラフ更新部３２２は、移動通信端末１００の向きが変わった場合に、出力されているグラフを更新する。あるいは、所定の時間おきに、グラフを更新してもよい。この場合に、移動通信端末１００の向きが変わっていないにも関わらず、受信レベルのみが変化しているとき、受信レベルのみを更新してもよい。更新の頻度を増やすことにより、ユーザは、端末の向きを変える自らの動作と連動して変化する受信レベルの遷移を、グラフから読み取ることができる。また、移動通信端１００の向きの変化が所定の角度以下である場合には、向きが変わっていないものとみなして、現在の受信レベルのみを更新してグラフを出力してもよい。所定の角度は、例えば５度に設定されてもよい。所定の角度は、ユーザによる手振れ等に起因する、意図しない向きの変化を無視できるように、ユーザ又は移動通信端末の機種ごと等に、自由に決定できる。出力されるグラフの更新の詳細については後述する。
【００３７】
表示部３２４は、持ち方表示部３２８、グラフ表示部３２８を有し、ユーザに対して情報を表示する。
【００３８】
持ち方表示部３２６は、端末特性情報保持部３１８に保持される、ユーザによる移動通信端末１００の持ち方及びアンテナ位置の情報を表示装置２１４に表示する。表示例は図４に示される。
【００３９】
グラフ表示部３２８は、グラフ出力部３２０が出力するグラフを画面上に表示する。図４における「持ち方ガイド」の右側に、表示例が示されている。図４に示されるように、当該グラフ表示部３２８は、グラフの縦軸の受信レベルの目盛りをインジケータや、ユーザに位置の調整を促すメッセージを表すメッセージ領域を含んでもよい。
【００４０】
指示部３３０は、受信レベル判断部３０８により、受信レベルが閾値より低いと判断された場合に、表示部３２４又は図示しない音声出力部を通して、ユーザに端末の向きを変えるよう指示する。指示部３３０は、例えば、図４のように、グラフ表示部３２８のメッセージ領域に「向きを調整してください」のようなメッセージを出力させて、指示を行う。また、指示部３３０は、ユーザによる移動通信端末１００の向きの調整の結果、閾値以上の受信レベルが得られた場合に、その旨表示部３２４に出力させることもできる。
【００４１】
文字列出力部３３２は、指示部３３０からの指示を受けて、表示部３２４に、端末の向きを変えるよう指示するメッセージを出力する。あるいは、指示部３３０からの指示を受けて、表示部３２４に、端末の向きの調整が完了したことを示すメッセージを出力する。
【００４２】
このように、本発明の一実施形態に係る移動通信端末１００により、ユーザは、受信レベルを調整するために端末の向きを変える場合に、その動作と連動して変化する受信レベルを同時に確認することで、受信レベルが高くなる方位を直感的に把握できる。その結果、放送波を最適に受信できる方位を効率的に探索できる。また、放送波の受信レベルが最適となる端末の持ち方及びアンテナ位置を表示することで、より良い状態でコンテンツを再生することができる。
【００４３】
なお、現在位置取得部３０２は任意の構成要素である。この場合には、通信部３００は、移動通信システム又は無線ＬＡＮ等の移動体通信のために用いられる通信波を送受信する。
【００４４】
また、角度取得部３２０は任意の構成要素である。角度取得部３２０を有しない場合であっても、方位取得部３１８により取得された方位を、最適方位の算出に利用することができる。
【００４５】
（４．グラフ出力の例）
次に、図５Ａ−５Ｄを用いて、グラフ表示部３２８により表示されるグラフについて説明する。先述の通り、図５Ａ−５Ｄで示される表示例は、図４に示される移動通信端末１００上の画面の中の、「持ち方ガイド」の右側のグラフ表示部３２８に表示されるものである。ここでは、ユーザが移動通信端末１００を手持ちした状態の、ユーザが向いている向きを正面方向とし、ユーザの位置及び姿勢の変化はないものとして説明する。
【００４６】
図５Ａは、ユーザが向きを初期の状態から一回だけ変化させた後のグラフの例である。図５Ａは、移動通信端末１００を手持ちしたユーザが、自らの向きを、初期の状態から右手方向に変えたことにより、受信レベルが低下したことを表している。図５Ａの現在の受信レベルには、放送局のマークが付されている。ユーザは、このグラフを確認することにより、初期の状態より左手方向を向くべきであったとの心象を抱く。
【００４７】
図５Ｂは、ユーザが向きを左手方向に変えた後のグラフの例である。現在の向きは、初期の状態よりもさらに左手方向を向いており、受信レベルが改善されたことを表している。この場合に、画面の中央に、現在の向きと受信レベルが表示され続けている点に留意する。ユーザは、このグラフを確認することにより、さらに左手方向を向くべきであるとの心象を抱く。
【００４８】
図５Ｃは、ユーザが向きを、さらに左手方向に変えた後のグラフの例である。今度は受信レベルが下がったことを表している。この場合に、図５Ａで取得された向きと受信レベルが、画面内に表示されていない点に留意する。一つの画面内にどの向きの範囲の受信レベルを表示するかは、先述の通り、任意に決定することができる。ユーザは、このグラフを確認することにより、右手方向に向きを戻す必要があるとの心象を抱く。
【００４９】
図５Ｄは、ユーザが移動通信端末１００の向きを、僅かに右に変えた後のグラフの例である。ここで、所定の閾値を超えた受信レベルが得られたことを表している。
【００５０】
このように、本発明の一実施形態に係る移動通信端末１００により、ユーザは、受信レベルを調整するために向きを変える場合に、その動作と連動して変化する受信レベルを同時に確認することで、受信レベルが高くなる方位を直感的に理解できる。
【００５１】
なお、ここでは、一定の間隔で取得された５つの向きと受信レベルに基づいて、移動通信端末１００の向きの調整を行う例を示した。しかしながら、向きと受信レベルの取得の頻度と、表示されるグラフの更新の頻度とを増やすことにより、ユーザは、実際の動作に連動して変化する受信レベルをより早く把握できるようになる。その結果、より迅速かつ効率的な移動通信端末１００の向きの調整が可能になる。
【００５２】
（５．処理フロー）
図６を用いて、本発明の一実施形態における移動通信端末１００の処理のフローを説明する。
【００５３】
ステップＳ６００において、ユーザによる移動通信端末１００の向きの調整処理が開始される。
【００５４】
ステップＳ６０２において、持ち方表示部３２６に、移動通信端末１００が放送波を最もよく受信できる持ち方及びアンテナ位置の情報を表示する。表示例は、図４の「持ち方ガイド」に示される。
【００５５】
ステップＳ６０４において、方位取得部３１０は、移動通信端末１００の向いている方位を取得する。また、現在位置取得部３０２は、現在位置を取得してもよい。
【００５６】
ステップＳ６０６において、受信レベル検出部３０６は、放送波の受信レベルを検出する。
【００５７】
ステップＳ６０８において、現在位置において取得された方位と検出された受信レベルとを履歴保持部３１６に保存する。
【００５８】
ステップＳ６１０において、グラフ出力部３２０は、先に述べたとおり、グラフ表示部３２８を通じてグラフを出力する。
【００５９】
ステップＳ６１２において、受信レベル判断部３０８は、現在位置において検出された受信レベルが閾値以上かどうかを判断する。受信レベルが閾値以上であればステップＳ６５０へと進み、閾値未満であればステップＳ６１４へと進む。
【００６０】
ステップＳ６１４において、指示部３３０は、ユーザに向きを調整するよう指示を行う。指示は、例えば、図４のグラフ表示部３２８の例のように、ユーザに向きの調整を促す文字列を表示することによってなされてもよい。あるいは、例えば、音声によってユーザに向きの調整を促す音声ガイダンスを再生又は合成してもよい。その後、ステップＳ６０４へと進む。
【００６１】
ステップＳ６１４の後、ステップＳ６０４−Ｓ６１０において、新たに取得された方位及び受信レベルを用いてグラフが更新されて出力される。以前に取得された方位及び受信レベルは、履歴情報として、グラフに出力される。ここで、現在位置情報を取得する手段を持っている場合には、向きの調整処理が開始された後、ユーザの移動等によって現在位置が変化している場合には、ステップＳ６０８で保存された履歴を一旦消去し、再度ステップＳ６０４から方位の取得を開始してもよい。
【００６２】
ステップＳ６５０において、当該処理は終了する。
【００６３】
このように、本発明の一実施形態に係る移動通信端末１００により、ユーザは、受信レベルを調整するために端末の向きを変える場合に、その動作と連動して変化する受信レベルを同時に確認することで、受信レベルが高くなる方位を直感的に理解できる。
【００６４】
なお、ステップＳ６０４、Ｓ６０６の順序は任意である。
【００６５】
また、ステップＳ６０８、Ｓ６１０の順序は任意である。
【００６６】
また、ステップＳ６１２において、受信レベルが閾値以上である場合に、図５Ｄに示されるように、指示部３３０は、調整が完了して放送波の受信レベルが一定の水準を満たしたことを画面上に表示させてもよい。これにより、ユーザは調整が完了したことを明確に理解することができる。
【００６７】
また、ステップＳ６１６は省略されてもよい。すなわち、ユーザは、画面上に表示されたグラフのみから、移動通信端末１００の向きを調整することができる。
【先行技術文献】
【特許文献】
【００６８】
【特許文献１】特開２００７−２８８５１５号公報
【特許文献２】特開２００８−１６０４２４号公報
【符号の説明】
【００６９】
１００  移動通信端末
３００  通信部
３０２  現在位置取得部
３０４  放送波受信部
３０６  受信レベル検出部
３０８  受信レベル判断部
３１０  方位取得部
３１２  角度取得部
３１４  記憶部
３１６  履歴保持部
３１８  端末特性情報保持部
３２０  グラフ出力部
３２２  グラフ更新部
３２４  表示部
３２６  持ち方表示部
３２８  グラフ表示部
３３０  指示部
３３２  文字列出力部
【図１】
0005560257.tif 000002
【図２】
0005560257.tif 000003
【図３】
0005560257.tif 000004
【図６】
0005560257.tif 000005
【図４】
0005560257.tif 000006
【図５Ａ】
0005560257.tif 000007
【図５Ｂ】
0005560257.tif 000008
【図５Ｃ】
0005560257.tif 000009
【図５Ｄ】
0005560257.tif 000010